(57)【要約】【課題】  テーピングや結束バンド等の巻付要素を別途使用しなくても、電線が散けないようにする。【解決手段】  複数の電線４１と、複数の電線４１の各端部にそれぞれ接続されるコネクタ４２ａ、４２ｂと、を備えたワイヤハーネス４０において、複数の電線４１のうち少なくともいずれか１本の特定の電線４１ａを、他の電線４１ｂよりも長いものとし、特定の電線４１ａを、他の電線４１ｂに対して長手方向に沿って螺旋状に巻き付け、他の電線４１ｂを纏めて散けないようにする。【選択図】  図４
2016170872.tif 000002
【特許請求の範囲】
【請求項１】
複数の電線と、前記複数の電線の各端部にそれぞれ接続されるコネクタと、を備えたワイヤハーネスにおいて、
前記複数の電線のうち少なくともいずれか１本の特定の電線を、他の電線よりも長いものとし、前記特定の電線を、前記他の電線に対して長手方向に沿って螺旋状に巻き付け、前記他の電線を纏めて散けないようにしたことを特徴とするワイヤハーネス。
【請求項２】
前記特定の電線を、接地線とすることを特徴とする請求項１に記載のワイヤハーネス。
【請求項３】
請求項１及び２に記載のワイヤハーネスにより、遊技盤の裏側に設けられる電気要素同士を互いに電気的に接続したことを特徴とする遊技機。
【発明の詳細な説明】
【技術分野】
【０００１】
本発明は、ワイヤハーネス及び当該ワイヤハーネスを備えた遊技機に関する。
【背景技術】
【０００２】
例えば、パチンコ機等の遊技機においては、遊技全体を制御するための主制御装置、当該主制御装置の指令に基づいて遊技の演出を制御するための副制御装置及びその他の制御装置を備え、各制御装置はそれぞれ電源供給や信号通信に用いられる複数の電線を束にしたワイヤハーネスにより電気的に接続される（例えば、特許文献１参照）。
【先行技術文献】
【特許文献】
【０００３】
【特許文献１】特開２０１１−２２９５９３号公報
【発明の概要】
【発明が解決しようとする課題】
【０００４】
しかしながら、特に遊技機のように、ワイヤハーネスが遊技盤の裏側に多数配線されるようなものにあっては、ワイヤハーネスを配線する際、電線個々の癖や、組付け作業時等における電線個々の捻じれによって、電線が散けて部品機器の部材間に挟み込まれ易くなり、それが原因で電線が損傷したり断線する上、他の部位に不都合を招く虞がある。
また、電線の散けを防止するために、複数の電線を纏めてテーピングや結束バンド等で束ねることも考えられるが、このようにすると、テーピング、結束バンドの材料費、巻付作業工数等が増大する問題点を有する。
【０００５】
本発明は、かかる課題に鑑みなされたものであって、テーピングや結束バンド等の巻付要素を別途使用しなくても、電線が散けないようにしたワイヤハーネス及び当該ワイヤハーネスを備えた遊技機を提供することを目的とする。
【課題を解決するための手段】
【０００６】
本発明によると、上記課題は、次のようにして解決される。
第１の発明は、複数の電線と、前記複数の電線の各端部にそれぞれ接続されるコネクタと、を備えたワイヤハーネスにおいて、前記複数の電線のうち少なくともいずれか１本の特定の電線を、他の電線よりも長いものとし、前記特定の電線を、前記他の電線に対して長手方向に沿って螺旋状に巻き付け、前記他の電線を纏めて散けないようにする。
【０００７】
第２の発明は、第１の発明において、前記特定の電線を、接地線とする。
【０００８】
第１の発明及び第２の発明により、ワイヤハーネスを構成する複数の電線を束ねるために別部材のテーピングや結束バンド等を巻き付けることなく、電線の損傷や断線を防止できる。
また、第２の発明は、接地線を、他の電線に巻き付けることにより、シールド効果が向上する。
【０００９】
第３の発明は、第１の発明及び第２の発明に記載のワイヤハーネスにより、遊技盤の裏側に設けられる電気要素同士を互いに電気的に接続する。
【発明の効果】
【００１０】
本発明によると、テーピングや結束バンド等の巻付要素を別途使用しなくても、ワイヤハーネスを構成する複数の電線を散けないようにする。
【図面の簡単な説明】
【００１１】
【図１】本発明に係る遊技機の前方から見た斜視図である。
【図２】同じく遊技機の各構成要素のブロック図である。
【図３】ワイヤハーネスの斜視図である。
【図４】ワイヤハーネスの模式図である。
【発明を実施するための形態】
【００１２】
以下、本発明を実施するための一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１３】
また、本実施形態の遊技機１は、弾球遊技機（所謂パチンコ機）とするが、本発明は、回胴式遊技機（所謂パチスロ機）を含む遊技機、及び当該遊技機以外の電気機器等にも適用可能である。
なお、以下の説明において、遊技機１の各部の左右方向は、その遊技機１の正面に対面する者にとっての左右方向に合わせて説明する。
【００１４】
（遊技機１の基本構造）
図１に示すように、遊技機１は、遊技場の島設備に設置される矩形枠状の外枠２と、外枠２の左枠部に蝶番（図示略）により垂直軸回りに開閉自在に取り付けられる内枠３と、内枠３に装着され、各種要素が組み付けられる遊技盤（図示略）と、遊技盤の前側にあって、内枠３の左枠部に上下の蝶番（図示略）により垂直軸回りに開閉自在に取り付けられ、遊技盤の前面を閉塞し、遊技者が透視し得る透明な板であるガラス板（又は合成樹脂板）４ａを嵌め込んだガラス枠４と、遊技盤の後側に設けられ賞球や貸球等の遊技球を払出可能な賞球払出装置３０ａ（図２参照）と、ガラス枠４の下部に設けられ、賞球払出装置３０ａから払い出される遊技球を貯留するための受皿部５と、ガラス枠４の下部裏側に設けられ受皿部５に貯留されている遊技球を導入して遊技盤の前面に形成される遊技領域へ向けて発射するための発射装置３０ｂ（図２参照）と、ガラス枠４の前面右下部に設けられ受皿部５に貯留された遊技球を遊技領域へ打ち出す際に操作される発射ハンドル６と、ガラス枠４の上部に設けられ遊技状況に応じた効果音を出すスピーカ装置７と、ガラス枠４の前側に設けられ遊技状況に応じて点灯、消灯及び点滅する照明演出を行う電飾装置８と、遊技盤の後側に設置される表示装置９（図２参照）とを備える。
【００１５】
表示装置９は、例えば液晶ディスプレイから構成され、ガラス板４ａを透して遊技者が視認可能な表示画面に遊技に係わる情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。
【００１６】
図２に示すように、遊技機１の背面側（図示略）には、当該背面側にねじ止め固定される制御装置ケース（図示略）内に収容され、遊技全体を制御する主制御装置１００と、主制御装置１００からの制御コマンドを受信して、演出装置２０ａであるスピーカ装置７、電飾装置８、表示装置９等へ制御コマンドを送信して演出に係る制御を実行する副制御装置２００と、主制御装置１００からの制御コマンドを受信することによって、賞球払出装置３０ａを制御して、受皿部５へ遊技球を払出すとともに、発射ハンドル６の回転操作量に応じて発射装置３０ｂを制御して、遊技領域への遊技球の発射を行う払出・発射制御装置３００とが設けられる。
【００１７】
主制御装置１００は、遊技盤の裏面に取り付けられると共に、大当りを発生させるか否かを検出信号の受信に基づいて抽選する当否抽選処理により決定された変動パターンや停止図柄の情報から制御コマンドを作成し、当該コマンドを出力するＣＰＵ１０３と、制御プログラム及び各種データを記憶したＲＯＭ１０１と、ＣＰＵ１０３のワークエリアとして機能し、ＣＰＵ１０３の演算処理のためのデータ、遊技に関連する各種抽選用乱数の生成を始めとする各種カウンタ、抽選結果や遊技状態を一時的に記憶するＲＡＭ１０２を有して、ＲＯＭ１０１に記憶された制御プログラムにより各部の動作を制御する。
【００１８】
主制御装置１００の入力ポートには、発射ハンドル６、電源装置１０、及び各種センサ（例えば、遊技盤の遊技領域に設けた入賞口に遊技球が入球したことを検知する検知センサ等）からの信号が入力され、また同じく出力ポートには、副制御装置２００と、払出・発射制御装置３００を介して賞球払出装置３０ａ及び発射装置３０ｂが電気的に接続される。
【００１９】
副制御装置２００は、主制御装置１００と同様に、制御プログラム及び各種データを記憶したＲＯＭ（図示略）と、ＣＰＵ（図示略）のワークエリアとして機能するＲＡＭ（図示略）と共に一体型のワンチップＣＰＵとして構成され、ＲＯＭに記憶された制御プログラムにより演出装置２０ａを制御する。
【００２０】
電気要素である発射ハンドル６、電源装置１０、各種センサ、各制御装置１００、２００、３００、スピーカ装置７、電飾装置８、表示装置９、賞球払出装置３０ａ及び発射装置３０ｂ、並びにその他の各電気要素は、それぞれが遊技盤の裏側に配線されて電源供給や信号通信に用いられる複数の電線４１を束にしたワイヤハーネス４０により電気的に接続される。
【００２１】
次に、本発明に係る要部であるワイヤハーネス４０について図３、４を参照して説明する。
なお、以下の説明するワイヤハーネス４０は、主制御装置１００と副制御装置２００とを互いに電気的に接続するものであるが、本発明はこれに限定されるものでなく、それ以外の電気要素同士を互いに電気的に接続するものにも適用される。
【００２２】
ワイヤハーネス４０は、複数本の電線４１と、各電線４１の各端部に接続されるコネクタ４２ａ、４２ｂを含んで構成され、一方のコネクタ４２ａ（又は４２ｂ）が主制御装置１００、他方のコネクタ４２ｂ（又は４２ａ）が副制御装置２００にそれぞれ接続されることで、主制御装置１００から副制御装置２００に対して、電力を供給したり各種信号を送信する。
【００２３】
複数本の電線４１のうち少なくともいずれか１本の電線（特定の電線）は、接地線４１ａであり、残りの複数本の電線は、信号線４１ｂとして使用される。本実施形態では、接地線４１ａは１本としている。
【００２４】
各電線４１の各端部には、それぞれ導電性の接続ピン４３ａ、４３ｂが接続され、各接続ピン４３ａ、４３ｂが各コネクタ４２ａ、４２ｂにそれぞれ差し込まれることによって、各電線４１の各端部は、各コネクタ４２ａ、４２ｂにそれぞれ接続される。
【００２５】
複数本の信号線４１ｂは、それぞれ略同じ長さであって、各制御装置１００、２００、３００に給電するための給電線、各種信号を各制御装置１００、２００、３００に送信するための信号線等を含む。
【００２６】
接地線４１ａは、信号線４１ｂよりも長いものが使用され、全ての信号線４１ｂを纏めて長手方向（図４における、左右方向）に沿って螺旋状に巻き付けた状態で、一端部がコネクタ４２ａ（又は４２ｂ）、また他端部がコネクタ４２ｂ（又は４２ａ）にそれぞれ接続される。これにより、従来のようにテーピングや結束バンド等の巻付要素を使用しないで、複数の各電線４１の散け、すなわち信号線４１ｂは勿論、巻き付けた接地線４１ａ自身の散け、あるいは曲がり癖、ねじれ等を巻付力と摩擦とによって防止してワイヤハーネス４０全体を纏めることができる。
【００２７】
なお、接地線４１ａの各コネクタ４２ａ、４２ｂにおけるいずれか一方又は両方への接続は、接地線４１ａを信号線４１ｂに巻き付けた後に行われる。これにより、接地線４１ａを各コネクタ４２ａ、４２ｂに接続した状態では、接地線４１ａの巻き付きが解けることはない。
【００２８】
これにより、接地線４１ａ及び複数の信号線４１ｂの癖やねじれ状態が解消されるため、遊技機１の内枠３を開閉した場合や、遊技盤の背面に主制御装置１００、副制御装置２００等の電気要素を取り付ける際、接地線４１ａや複数の信号線４１ｂが他の部材間に挟み込まれることを防止することができる。
また、接地線４１ａを信号線４１ｂに巻き付けたことによって、ノイズ発生を抑制できる。
【００２９】
以上により、本実施形態のワイヤハーネス４０は、接地線４１ａや複数の信号線４１ｂを束ねるために、テーピングや結束バンド等の巻付要素を必要とせず、またそれらを巻き付ける作業工程も不要であるため、材料費、巻付作業工数を削減して、電線４１の損傷や断線を防止ができる。
【００３０】
以上、本発明の実施形態について説明したが、本発明の趣旨を逸脱しない範囲内で、本実施形態に対して、次のような変形や変更を施すことが可能である。
（１）螺旋状に巻き付ける電線４１を接地線４１ａではなく、他の電線４１と同様の信号線４１ｂとしてもよい。
（２）ワイヤハーネス４０の仕様に応じて巻き付ける電線４１（接地線４１ａ及び信号線４１ｂ）の数は１本に限定されるものではなく、例えば、巻き付ける電線４１が複数の場合、巻付性能は１本の場合よりも良好になり、また、巻き付ける複数の電線４１が接地線４１ａとする場合、ノイズの制御（シールド効果）が１本である場合よりもより良好になる。
【符号の説明】
【００３１】
１  遊技機
２  外枠
３  内枠
４  ガラス枠
４ａ  ガラス板
５  受皿部
６  発射ハンドル
７  スピーカ装置
８  電飾装置
９  表示装置
１０  電源装置
２０ａ  演出装置
３０ａ  賞球払出装置
３０ｂ  発射装置
４０  ワイヤハーネス
４１  電線
４１ａ  接地線（特定の電線）
４１ｂ  信号線
４２ａ、４２ｂ  コネクタ
４３ａ、４３ｂ  接続ピン
１００  主制御装置
１０１  ＲＯＭ
１０２  ＲＡＭ
１０３  ＣＰＵ
２００  副制御装置
３００  払出・発射制御装置
【図１】
2016170872.tif 000003
【図２】
2016170872.tif 000004
【図３】
2016170872.tif 000005
【図４】
2016170872.tif 000006